(57)【要約】【課題】  ふすまに装着されたふすま引手に手を掛けてふすまを開閉する場合の操作性を良好なものとすることができる簡易な手段を実現する。【解決手段】  素材に硬質プラスチックを用い、直径が50mm、65mmまたは70mmである円板状に形成された円板部１１と、同じく硬質プラスチックからなり、円板部１１の直径方向全体にわたって円板部１１の片面に対して垂直に設けられた、高さが少なくとも８mmである手を掛けるための方形板状の手掛け部１２とにより、ふすま引手用の手掛け具１０を構成する。【選択図】        図１
0003137591.tif 000002
【実用新案登録請求の範囲】
【請求項１】
硬質材料からなり、直径が50mm、65mmおよび70mmのうちの１つである円板状に形成された円板部（１１）と、
前記硬質材料からなり、前記円板部の直径方向全体にわたって前記円板部の片面に垂設された、高さが少なくとも８mmである板状体及び棒状体の一方に形成された手を掛けるための手掛け部（１２）とを
具備したふすま引手用手掛け具。
【考案の詳細な説明】
【技術分野】
【０００１】
本考案はふすま引手用手掛け具に関する。具体的には、ふすまに装着されたふすま引手に手を掛けてふすまを開閉する場合の操作性を良好なものとすることができる簡易な手段を提供せんとするものである。
【背景技術】
【０００２】
建具であるふすまには、その一方の立て縁の中央部近傍に、ふすまを開閉するための皿状に形成されたふすま引手が、付属具として装着されている。そして、ふすまを開閉する場合は、ふすま引手に手を掛けてふすまを一軸方向において移動させる。その場合、ふすま引手における扁平な円缶状の凹部の内壁に複数本の指の指先を当接させて、ふすまを移動させている。
【０００３】
しかし、ふすま引手の凹部は、さほど深くないため、ふすまが重かったり、その滑りが良くない場合は、指先に大きな力を入れなければならず、また、ときには指先が滑ったりして開閉が円滑に行われないことがある。とくに、力のない幼児や高齢者にとっては、ふすまの開閉手段として充分に機能するとはいえないものである。
【０００４】
そこで、上記問題点を解決するために、手掛け部付きのふすま引手が提案されている（実開平６−６７７４０号公報参照）。この手掛け部付きのふすま引手は、ふすま引手の凹部内の中央部に、直径方向全体にわたる手掛け部を設けている。この手掛け部は、ふすま引手の凹部より外側に突き出すように、その断面形状を略半月状としている。
【０００５】
このような構成の手掛け部付きのふすま引手を用いるならば、手掛け部は、ふすま引手の凹部より外側に突き出しているので、手掛け部における手の指の指先を当接させる面積は、ふすま引手の凹部内壁の面積よりも大きくなる。したがって、手掛け部に加えることができる力も、ふすま引手の凹部内壁に加えることができる力よりも大きくなることから、ふすまが重かったり、その滑りが良くない場合であっても、ふすまを開閉し易くなることになる。
【特許文献１】実開平６−６７７４０号公報
【考案の開示】
【考案が解決しようとする課題】
【０００６】
しかしながら、上述した従来例によると、つぎのような解決すべき課題がある。それは、第１に、従来より提供されている、手掛け部を有しないふすま引手が装着されたふすまを使用している場合に、上記従来例による手掛け部付きふすま引手の使用を欲するときは、従前よりふすまに装着されている、手掛け部を有しないふすま引手を取り外したうえで、これに代わって手掛け部付きふすま引手を、ふすまに装着することになる。したがって、取り外した手掛け部を有しないふすま引手は、全く不要のものとなってしまうことになる。すなわち、それまで使用していたすま引手は、その利用の方途がないことになる。
【０００７】
第２に、ふすま引手に手掛け部を設けると、ふすま引手の構成が複雑となり、製造コストが高くなってしまうことである。すなわち、低価格で提供することができないという難点がある。以上のような解決すべき課題が、上述した従来例にはあった。
【課題を解決するための手段】
【０００８】
そこで、上記課題を解決するために、本考案はなされたものである。そのために、本考案では、円板状に形成された円板部と、この円板部の直径方向全体にわたって円板部の片面に垂設された、手を掛けるための手掛け部とにより、ふすまを開閉するための手掛け具として構成し、これを、従来より提供されている、手掛け部を有しないふすま引手の円缶状の凹部内に嵌合するようにした。
【考案の効果】
【０００９】
本考案によるならば、従来例におけるように、従前よりふすまに装着されている、手掛け部を有しないふすま引手を取り外したうえで、これに代わって手掛け部付きふすま引手を、ふすまに装着する必要がない。すなわち、従来より提供されている、手掛け部を有しないふすま引手をそのまま使用することができる。
【００１０】
また、従来より提供されている、手掛け部を有しないふすま引手をそのまま使用するので、ふすま引手の構成を複雑化することもなく、低価格で提供することができる。したがって、本考案によりもたらされる効果は、実用上極めて大きい。
【考案を実施するための最良の形態】
【００１１】
本考案によるふすま引手用手掛け具は、円板状に形成された円板部と、この円板部の直径方向全体にわたって円板部の片面に垂設された、手を掛けるための手掛け部とにより構成される。以下、実施例により詳しく説明する。
【実施例１】
【００１２】
本考案の一実施例の構成を、図１に示し説明する。ここで、図１（ａ）は、本実施例におけるふすま引手用手掛け具の構成を示す斜視図、図１（ｂ）は側面図である。
【００１３】
図１（ａ）において、本考案によるふすま引手用の手掛け具１０は、素材に硬質プラスチックを用いた円板部１１と、同じく硬質プラスチックからなり、円板部１１の直径方向全体にわたって円板部１１の片面に対して垂直に設けられた、手を掛けるための方形板状の手掛け部１２とにより構成されている。
【００１４】
円板部１１の肉厚は、とくに限定されるものではないが、１〜２mm程度が好ましい。これに対して、円板部１１の直径は、50mm、65mm及び70mmのうちのいずれかとする。これは、従来より提供されているふすま引手の円缶状の凹部の内径が、50mm、65mm及び70mmのうちのいずれかであることに対応させるためである。
【００１５】
この円板部１１における手掛け部１２が設けらた片面の裏面には、図１（ｂ）に示すように、所定の大きさの両面テープ１３が貼着され、両面テープ１３の未使用面は、カバー・フィルム１４により覆われている（両面テープ１３およびカバー・フィルム１４の厚さは、誇張して図示している。）。
【００１６】
他方、円板部１１に垂設される手掛け部１２の肉厚は、これもとくに限定されるものではないが、５〜10mm程度が望ましい。また、従来より提供されているふすま引手の凹部の深さは、一般に８mm程度であるので、手掛け部１２の高さは、少なくとも８mm程度であるのが好ましい。
【００１７】
このような手掛け部１２は、円板部１１に接着または溶着により固着するか、あるいは、円板部１１と一体成型することにより、円板部１１に垂設する。
【００１８】
つぎに、以上のように構成されたふすま引手用手掛け具の使用方法について、図２により説明する。本考案によるふすま引手用手掛け具を使用する場合は、まず、円板部１１に貼着された両面テープ１３（図１（ｂ））の未使用面を覆っているカバー・フィルム１４を剥がす。
【００１９】
ついで、図２（ａ）に示すように、ふすま（図示を省略）に既に装着されているふすま引手１００の凹部１０１の底壁１０２に、カバー・フィルム１４が剥がされた両面テープ１３の未使用面が当接するように、手掛け具１０の円板部１１をふすま引手１００の凹部１０１内に嵌合させるようにして押し込む。その場合、手掛け部１２が垂直となるようにして押し込む。
【００２０】
手掛け具１０の円板部１１が、ふすま引手１００の凹部１０１内に押し込まれると、図２（ｂ）（断面図）に示すように、円板部１１における手掛け部１２が設けられた片面の裏面が、ふすま引手１００の凹部１０１の底壁１０２に接着して固定されることになる。そこで、ふすまを開閉する場合は、手掛け部１２に手の指の指先を掛けて、ふすまを移動させることになる。
【００２１】
なお、図１（ｂ）に示した両面テープ１３が円板部１１に貼着されていることは、本考案の構成上の必須要件ではなく、本考案によるふすま引手用手掛け具を使用する者が、他から購入した両面テープあるいは接着剤を用いて、手掛け具１０をふすま引手１００の凹部１０１内に固定するようにしてもよい。
【実施例２】
【００２２】
図３は、本考案の他の実施例の構成を示す側面図であり、図１における構成要素と同一の構成要素については、同じ符号を付して説明する。
【００２３】
図３において、本実施例におけるふすま引手用手掛け具２０が、図１に示した先の実施例の構成と異なるところは、円板部１１における手掛け部１２が設けられた片面の裏面に、両面テープ１３が貼着されておらず、その代わりに円板部１１と同一の形状及び大きさのゴム板２１が、接着剤を用いて貼着されていることである。その他の構成は、図１に示した先の実施例と同じである。
【００２４】
このような構成とするならば、ゴムは摩擦抵抗が大きいので、本考案によるふすま引手用手掛け具２０を、ふすま引手１００（図２（ａ））の凹部１０１内に嵌合させて使用する場合、手掛け部１２に指先を掛けてふすまを移動させても、手掛け部２０が回転するようなことはない。なお、ふすま引手１００が、薄い鉄板に錫をメッキしたブリキからなる場合は、磁性を帯びたゴムからなる円板状の板材を、円板部１１に貼着するようにしてもよい。
【００２５】
以上においては、円板部１１および手掛け部１２の素材として硬質プラスチックを用いる場合について説明した。しかし、本発明は、これに限定されるものではない。鉄材、木材などの硬質材料を用いる場合にも、本発明は適用され得るものである。
【００２６】
また、手掛け部１２として、上面部が平坦な方形体状に形成されたものを例に挙げて説明した。しかし、本発明は、これに限られるものではなく、例えば、上面部が円弧状に形成された板状体であっても、本考案は適用し得るものである。なお、暗中においても手掛け部１２に容易に手を掛けることができるようにするために、手掛け部１２の上面部に蛍光塗料を塗布するようにしてもよい。
【００２７】
さらに、手掛け部１２は、板状体に形成されたものに限られるものではない。棒状体に形成されたものであってもよく、このような場合にも、本考案は適用することができるものである。
【図面の簡単な説明】
【００２８】
【図１】本考案の一実施例の構成を構成図である。
【図２】図１に示した手掛け具の使用方法を説明するための説明図である。
【図３】本考案の他の実施例の構成を示す側面図である。
【符号の説明】
【００２９】
１０  手掛け具
１１  円板部
１２  手掛け部
１３  両面テープ
１４  カバー・フィルム
２０  手掛け具
２１  ゴム板
１００  ふすま引手
１０１  凹部
１０２  底壁
【図１】
0003137591.tif 000003
【図２】
0003137591.tif 000004
【図３】
0003137591.tif 000005